(57)【要約】【課題】低コストかつ簡単な構成により、サブシステムに複数レベルの電源供給を行うことのできる電力制御システムを提供する。【解決手段】メインシステム１０とサブシステム２０とを備えた電源制御システム１であって、メインシステム１０は、省エネモードの動作モード指定信号が生成された場合に、通常モードの動作モード指定信号が生成された場合に比べて低い電圧の電源を、サブシステム２０に供給する電源ユニット１０６を有し、サブシステム２０は、省エネモード時に電源供給が行われない省エネ時動作回路と、メインシステムから供給される電源電圧を検知する電圧検出部２０５と、電源電圧が所定値以下である場合に、省エネ時動作回路への電源供給を停止する電源制御部２０６とを有する。【選択図】図１
2011034422.tif 000002
【特許請求の範囲】
【請求項１】
メインシステムとサブシステムとを備えた電源制御システムであって、
前記メインシステムは、
前記電源制御システムの動作モードとして前記電源制御システムのすべてに電源を供給する通常モードまたは前記電源制御システムの一部に電源を供給する省エネモードを指定する動作モード指定信号を生成する信号生成部と、
前記信号生成部により省エネモードの前記動作モード指定信号が生成された場合に、前記通常モードの前記動作モード指定信号が生成された場合に比べて低い電圧の電源を、前記サブシステムに供給する電源ユニットと
を有し、
前記サブシステムは、
前記省エネモード時に電源供給が行われない省エネ時動作回路と、
前記メインシステムから供給される電源電圧を検知する電圧検出部と、
前記電圧検出部により検出された前記電源電圧が所定値以下である場合に、前記省エネ時動作回路への電源供給を停止する電源制御部と
を有することを特徴とする電源制御システム。
【請求項２】
前記サブシステムは、
前記省エネモード時に、前記通常モード時に比べて低い電圧の電源供給が行われる低電圧回路をさらに有し、
前記電源制御部は、前記電圧検出部により検出された前記電源電圧が所定値以下である場合に、前記低電圧回路に対し前記通常モード時に比べて低い電圧の電源供給を行うことを特徴とする請求項１に記載の電源制御システム。
【請求項３】
メインシステムとサブシステムとを備えた電源制御システムであって、
前記メインシステムは、
前記電源制御システムの動作モードとして前記電源制御システムのすべてに電源を供給する通常モードまたは前記電源制御システムの一部に電源を供給する省エネモードを指定する動作モード指定信号を生成する信号生成部と、
前記信号生成部により省エネモードの前記動作モード指定信号が生成された場合に、前記通常モードの前記動作モード指定信号が生成された場合に比べて低い電圧の電源を、前記サブシステムに供給する電源ユニットと
を有し、
前記サブシステムは、
前記省エネモード時に、前記通常モード時に比べて低い電圧の電源供給が行われる低電圧回路と、
前記メインシステムから供給される電源電圧を検知する電圧検出部と、
前記電圧検出部により検出された前記電源電圧が所定値以下である場合に、前記低電圧回路に対し前記通常モード時に比べて低い電圧の電源供給を行う電源制御部と
を有することを特徴とする電源制御システム。
【請求項４】
メインシステムとサブシステムとを備えた電源制御システムにおける電源制御方法であって、
前記メインシステムの信号生成部が、前記電源制御システムの動作モードとして前記電源制御システムのすべてに電源を供給する通常モードまたは前記電源制御システムの一部に電源を供給する省エネモードを指定する動作モード指定信号を生成する信号生成ステップと、
前記メインシステムの電源ユニットが、前記信号生成ステップで、省エネモードの前記動作モード指定信号が生成された場合に、通常モードの前記動作モード指定信号が生成された場合に比べて低い電圧の電源を、前記サブシステムに供給する電源供給ステップと、
前記サブシステムの電圧検出部が、前記メインシステムから供給される電源電圧を検知する電圧検出ステップと、
前記サブシステムの省エネ時動作回路が、前記電圧検出ステップで検出された前記電源電圧が所定値以下である場合に、前記省エネモード時に電源供給が行われない省エネ時動作回路への電源供給を停止する電源制御ステップと
を有することを特徴とする電源制御方法。
【請求項５】
メインシステムとサブシステムとを備えた電源制御システムにおける電源制御方法であって、
前記メインシステムの信号生成部が、前記電源制御システムの動作モードとして前記電源制御システムのすべてに電源を供給する通常モードまたは前記電源制御システムの一部に電源を供給する省エネモードを指定する動作モード指定信号を生成する信号生成ステップと、
前記メインシステムの電源ユニットが、前記信号生成ステップで省エネモードの前記動作モード指定信号が生成された場合に、通常モードの前記動作モード指定信号が生成された場合に比べて低い電圧の電源を、前記サブシステムに供給する電源供給ステップと、
前記サブシステムの電圧検出部が、前記メインシステムから供給される電源電圧を検知する電圧検出ステップと、
前記サブシステムの電源制御部が、前記電圧検出ステップで検出された前記電源電圧が所定値以下である場合に、前記省エネモード時に、前記通常モード時に比べて低い電圧の電源供給が行われる低電圧回路に対し前記通常モード時に比べて低い電圧の電源供給を行う電源制御ステップと
を有することを特徴とする電源制御方法。
【発明の詳細な説明】
【技術分野】
【０００１】
本発明は、メインシステムおよびサブシステムを備えた電源制御システムおよび電源制御方法に関する。
【背景技術】
【０００２】
従来、同一機器内に設けられたメインシステムとサブシステムの間を、ＵＳＢ（Ｕｎｉｖｅｒｓａｌ  Ｓｅｒｉａｌ  Ｂｕｓ）やＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４などの有線データ通信インターフェースにより接続したシステムが知られている。これら有線データ通信インターフェースは、データ通信線の他、電源線を有しているものもあり、メインシステムからサブシステムへの電源供給が可能である。こうしたシステムとして、例えば特許文献１には、標準的な接続端子を使いながらも高い電圧で高速充電可能な装置が開示されている。
【発明の概要】
【発明が解決しようとする課題】
【０００３】
また、このようなシステムにおいて、サブシステム側は省エネ時においても供給される電源と、省エネ時にはメインシステムにおいて遮断される電源の２つの電源系統を併用するものが知られている。メインシステムとサブシステムの間がＵＳＢなど一般的な規格に準拠したケーブルによる接続構成においては、電源線は１本しか設けられていない。そこで、上記のように２つの電源系統を併用するためには、省エネ時に遮断される電源線を追加するか、またはサブシステム内で電源系統を分離した上で省エネ制御信号線を追加し、サブシステム内において省エネ制御信号線の電圧レベルに応じて一方の電源系統を遮断する構成とする必要がある。このため、ケーブル系統数の増加によるコスト上昇や機器組み込み時の操作がより煩雑になるという問題があった。
【０００４】
本発明は、上記に鑑みてなされたものであって、低コストかつ簡単な構成により、サブシステムに複数レベルの電源供給を行うことのできる電源制御システムおよび電源制御方法を提供することを目的とする。
【課題を解決するための手段】
【０００５】
上述した課題を解決し、目的を達成するために、本発明は、メインシステムとサブシステムとを備えた電源制御システムであって、前記メインシステムは、前記電源制御システムの動作モードとして前記電源制御システムのすべてに電源を供給する通常モードまたは前記電源制御システムの一部に電源を供給する省エネモードを指定する動作モード指定信号を生成する信号生成部と、前記信号生成部により省エネモードの前記動作モード指定信号が生成された場合に、前記通常モードの前記動作モード指定信号が生成された場合に比べて低い電圧の電源を、前記サブシステムに供給する電源ユニットとを有し、前記サブシステムは、前記省エネモード時に電源供給が行われない省エネ時動作回路と、前記メインシステムから供給される電源電圧を検知する電圧検出部と、前記電圧検出部により検出された前記電源電圧が所定値以下である場合に、前記省エネ時動作回路への電源供給を停止する電源制御部とを有することを特徴とする。
【０００６】
また、本発明の他の形態は、メインシステムとサブシステムとを備えた電源制御システムであって、前記メインシステムは、前記電源制御システムの動作モードとして前記電源制御システムのすべてに電源を供給する通常モードまたは前記電源制御システムの一部に電源を供給する省エネモードを指定する動作モード指定信号を生成する信号生成部と、前記信号生成部により省エネモードの前記動作モード指定信号が生成された場合に、前記通常モードの前記動作モード指定信号が生成された場合に比べて低い電圧の電源を、前記サブシステムに供給する電源ユニットとを有し、前記サブシステムは、前記省エネモード時に、前記通常モード時に比べて低い電圧の電源供給が行われる低電圧回路と、前記メインシステムから供給される電源電圧を検知する電圧検出部と、前記電圧検出部により検出された前記電源電圧が所定値以下である場合に、前記低電圧回路に対し前記通常モード時に比べて低い電圧の電源供給を行う電源制御部とを有することを特徴とする。
【０００７】
また、本発明の他の形態は、メインシステムとサブシステムとを備えた電源制御システムにおける電源制御方法であって、前記メインシステムの信号生成部が、前記電源制御システムの動作モードとして前記電源制御システムのすべてに電源を供給する通常モードまたは前記電源制御システムの一部に電源を供給する省エネモードを指定する動作モード指定信号を生成する信号生成ステップと、前記メインシステムの電源ユニットが、前記信号生成ステップで、省エネモードの前記動作モード指定信号が生成された場合に、通常モードの前記動作モード指定信号が生成された場合に比べて低い電圧の電源を、前記サブシステムに供給する電源供給ステップと、前記サブシステムの電圧検出部が、前記メインシステムから供給される電源電圧を検知する電圧検出ステップと、前記サブシステムの省エネ時動作回路が、前記電圧検出ステップで検出された前記電源電圧が所定値以下である場合に、前記省エネモード時に電源供給が行われない省エネ時動作回路への電源供給を停止する電源制御ステップとを有することを特徴とする。
【０００８】
また、本発明の他の形態は、メインシステムとサブシステムとを備えた電源制御システムにおける電源制御方法であって、前記メインシステムの信号生成部が、前記電源制御システムの動作モードとして前記電源制御システムのすべてに電源を供給する通常モードまたは前記電源制御システムの一部に電源を供給する省エネモードを指定する動作モード指定信号を生成する信号生成ステップと、前記メインシステムの電源ユニットが、前記信号生成ステップで省エネモードの前記動作モード指定信号が生成された場合に、通常モードの前記動作モード指定信号が生成された場合に比べて低い電圧の電源を、前記サブシステムに供給する電源供給ステップと、前記サブシステムの電圧検出部が、前記メインシステムから供給される電源電圧を検知する電圧検出ステップと、前記サブシステムの電源制御部が、前記電圧検出ステップで検出された前記電源電圧が所定値以下である場合に、前記省エネモード時に、前記通常モード時に比べて低い電圧の電源供給が行われる低電圧回路に対し前記通常モード時に比べて低い電圧の電源供給を行う電源制御ステップとを有することを特徴とする。
【発明の効果】
【０００９】
本発明によれば、低コストかつ簡単な構成により、サブシステムに複数レベルの電源供給を行うことができるという効果を奏する。
【図面の簡単な説明】
【００１０】
【図１】図１は、本発明の第１の実施の形態にかかる電源制御システム１の構成を示すブロック図である。
【図２】図２は、動作モードが通常モードから省エネモードに移行する場合の電源制御システム１による電源制御処理を示すフローチャートである。
【図３】図３は、動作モードが省エネモードから通常モードに移行する場合の電源制御システム１による電源制御処理を示すフローチャートである。
【図４】図４は、第２の実施の形態にかかる電源制御システム２の構成を示すブロック図である。
【図５】図５は、第３の実施の形態にかかる電源制御システム３の構成を示す図である。
【発明を実施するための形態】
【００１１】
以下に添付図面を参照して、この発明にかかる電源制御システムおよび電源制御方法の最良な実施の形態を詳細に説明する。
【００１２】
（第１の実施の形態）
図１は、本発明の第１の実施の形態にかかる電源制御システム１の構成を示すブロック図である。なお、電源制御システム１は、例えば画像形成装置であってもよい。電源制御システム１は、コントローラ１０と、操作ユニット２０とを備えている。コントローラ１０は、メインシステムとして、電源制御システム１全体を制御する。操作ユニット２０は、ユーザからの操作を受け付け、各種情報を表示するサブシステムである。コントローラ１０と操作ユニット２０とはＵＳＢ（Ｕｎｉｖｅｒｓａｌ  Ｓｅｒｉａｌ  Ｂｕｓ）ケーブル３０により接続され、ＵＳＢ通信によりデータ通信を行う。ＵＳＢケーブル３０は、データ通信のためのデータ通信線３２の他、１本の電源線３１を有している。
【００１３】
コントローラ１０は、コントローラ１０全体を制御するＣＰＵ１０１と、記憶部としてのＨＤＤ１０２、ＲＯＭ１０３およびＲＡＭ１０４と、ＵＳＢケーブル３０と接続するＵＳＢホスト１０５と、コントローラ１０および操作ユニット２０に電源を供給する電源ユニット１０６とを備えている。
【００１４】
電源制御システム１は、動作モードとして、通常動作を行う通常モードと、最低限の動作のみを行う省エネモードとを有している。通常モードにおいては、電源制御システム１の全体に電源が供給される。省エネモードにおいては、電源制御システム１のうち一部の回路にのみ電源が供給される。省エネモードにおいては、例えば、後述の操作ユニット２０のＲＡＭ２０３など所定の回路にのみ電源を供給し、これ以外の回路への電源供給を停止する。以下、省エネモード時においても電源が供給される回路を省エネ時動作回路と称する。
【００１５】
電源ユニット１０６は、通常モードにおいては通常電圧の電源を生成し、省エネモードにおいては省エネ電圧の電源を生成する。ここで、通常電圧は例えば５Ｖであり、省エネ電圧は例えば３．３Ｖである。このように、省エネ電圧は、通常電圧に比べて低い電圧である。電源ユニット１０６は、このように一定の電位差を有する２つの電圧値の電源を生成する。電源ユニット１０６としては、具体的には、ボルテージレギュレータやＤＣＤＣコンバータを用いることができる。
【００１６】
操作ユニット２０は、操作ユニット２０全体を制御するＣＰＵ２０１と、記憶部としてのＲＯＭ２０２およびＲＡＭ２０３と、ＵＳＢケーブル３０と接続するＵＳＢデバイス２０４と、電圧検出部２０５と、電源制御部２０６と、表示パネル２１１を制御する表示制御部２１５と、ＬＥＤ出力部２１２、キー入力部２１３およびタッチパネル部２１４を制御する入出力制御部２１６を備えている。
【００１７】
電圧検出部２０５は、電源線３１の電圧を検出する。さらに、検出した電圧値と規定値とを比較し、比較結果に基づいて、動作モードを判定する。すなわち、通常電圧と省エネ電圧の中間値を規定値として予め設定しておく。具体的には、例えば４Ｖを規定値として設定しておく。そして、電源線３１の電圧が規定値より大きい場合に通常モードと判定する。また、電源線３１の電圧が規定値より小さい場合に省エネモードと判定する。
【００１８】
電源制御部２０６は、電圧検出部２０５の検出結果に基づいて、操作ユニット２０全体への電源供給を制御する。電源制御部２０６は、電源ＩＣである。例えば通常モードにおいては、電源ユニット１０６から５Ｖの電源が供給される。この場合には、電源制御部２０６は、５Ｖの電源から３．３Ｖ、１．８Ｖ、１．２Ｖなど操作ユニット２０において必要となる電源系統を生成し、各回路に供給する。また、省エネモードにおいては、電源ユニット１０６から３．３Ｖの電源が供給される。この場合には、電源制御部２０６は、３．３Ｖの電源から、操作ユニット２０のうち省エネ時動作回路に対し必要な電源系統を生成し、省エネ時動作回路に供給する。
【００１９】
図２は、動作モードが通常モードから省エネモードに移行する場合の電源制御システム１による電源制御処理を示すフローチャートである。電源制御システム１の初期起動時には、動作モードは通常モードに設定される。このとき、電源ユニット１０６は、電源線３１を介して通常電圧、すなわち５Ｖの電源を操作ユニット２０に供給する。電源制御部２０６は、５Ｖの電源から、３．３Ｖ、１．８Ｖ、１．２Ｖなど操作ユニット２０において必要な電源系統を生成し、この電源系統により操作ユニット２０全体が起動する。
【００２０】
そして、省エネモードへの移行時には、まず、コントローラ１０のＣＰＵ１０１が省エネ移行信号を生成し、これを電源ユニット１０６に出力する（ステップＳ１００）。電源ユニット１０６は、省エネ移行信号を受け取ると、これにしたがい、電圧レベルを通常電圧から省エネ電圧に低下する（ステップＳ１０２）。これにより、電源ユニット１０６から操作ユニット２０に省エネ電圧、すなわち３．３Ｖの電源が供給される。
【００２１】
操作ユニット２０においては、電圧検出部２０５が、電源線３１の電圧を検出する（ステップＳ１１０）。電源線３１の電圧が規定値よりも小さい場合には（ステップＳ１１２，Ｙｅｓ）、電圧検出部２０５は、シーケンス信号を生成し、これを電源制御部２０６に出力する（ステップＳ１１４）。ここで、シーケンス信号は、通常モードから省エネモードへの移行を示す情報である。なお、動作モードの変更がない場合には、電源ユニット１０６から供給される電源電圧に変化はなく、ステップＳ１１２において、電源線３１の電圧が規定値以上となり（ステップＳ１１２，Ｎｏ）、ステップＳ１１４へ進まずステップＳ１１０に戻り、電圧検出部２０５は、継続して電源線３１の電圧を検知する。なお、電圧検出部２０５は、定期的に電源線３１の電圧を検知する。
【００２２】
電源制御部２０６は、シーケンス信号を取得すると、省エネ時に不要となる電源系統を遮断する（ステップＳ１１６）。すなわち、電源制御部２０６は、省エネ時動作回路以外の回路への電源供給を停止する。さらに、電源制御部２０６は、省エネ電圧（３．３Ｖ）の電源から省エネ時動作回路への電源系統を生成し、これを供給する。
【００２３】
以上のように、本実施の形態においては、通常モードおよび省エネモードのいずれの動作モードにおいても、電源ユニット１０６から電源線３１を介して供給された電源により、各回路への電源供給を行うことができる。すなわち、電源ユニット１０６以外の電源および電源線３１以外の電力線を要することなく、通常モードから省エネモードへの移行に伴う電源シーケンスを生成することができる。
【００２４】
図３は、動作モードが省エネモードから通常モードに移行する場合の電源制御システム１による電源制御処理を示すフローチャートである。電源制御システム１は、省エネモードにおいては、上述のように、電源ユニット１０６から省エネ電圧、すなわち３．３Ｖの電源が操作ユニット２０に供給されている。そして、通常モードへの移行時には、まずコントローラ１０のＣＰＵ１０１が通常移行信号を生成し、これを電源ユニット１０６に出力する（ステップＳ２００）。電源ユニット１０６は、通常移行信号を受け取ると、これにしたがい、電圧レベルを省エネ電圧から通常電圧に上昇させる（ステップＳ２０２）。これにより、電源ユニット１０６から操作ユニット２０に通常電圧、すなわち５Ｖの電源が供給される。
【００２５】
操作ユニット２０においては、電圧検出部２０５が、電源線３１の電圧を検出する（ステップＳ２１０）。電源線３１の電圧が規定値よりも大きい場合には（ステップＳ２１２，Ｙｅｓ）、電圧検出部２０５は、シーケンス信号を生成し、これを電源制御部２０６に出力する（ステップＳ２１４）。ここで、シーケンス信号は、省エネモードから通常モードへの移行を示す情報である。なお、動作モードの変更がない場合には、電源ユニット１０６から供給される電源電圧に変化はなく、ステップＳ２１２において、電源線３１の電圧が規定値以下となり（ステップＳ２１２，Ｎｏ）、ステップＳ２１０に戻り、電圧検出部２０５は、継続して電源線３１の電圧を検知する。
【００２６】
電源制御部２０６は、シーケンス信号を取得すると、操作ユニット２０のすべての電源系統を導通させる（ステップＳ２１６）。すなわち、電源制御部２０６は、省エネ時動作回路を含む操作ユニット２０のすべての回路への電源供給を行う。なお、このとき、電源制御部２０６は、通常電圧（５Ｖ）の電源から各電源系統を生成し、各電源系統へこれを供給する。
【００２７】
以上のように、本実施の形態においては、省エネモードから通常モードへの復帰時においては、電源ユニット１０６は電圧を上昇させ、電源線３１から通常電圧の電源を操作ユニット２０に供給することができる。すなわち、電源ユニット１０６以外の電源および電源線３１以外の電力線を要することなく、省エネモードから通常モードへの復帰に伴う電源シーケンスを生成することができる。すなわち、電源線３１のみを利用して、コントローラ１０から操作ユニット２０に電圧の異なる電源を供給することができる。
【００２８】
第１の実施の形態の第１の変更例としては、省エネモードにおいては、例えばＣＰＵ２０１など所定の回路への供給電源の電圧を低下させることとしてもよい。なお、省エネモードにおいて、電圧を低下させる回路を低電圧回路と称する。この場合には、図２において説明したステップＳ１１６において、電源制御部２０６は、操作ユニット２０の省エネ時動作回路および低電圧回路以外の回路への電源系統を遮断し、さらに、低電圧回路への供給電圧を低下させる。電源制御部２０６は、具体的にはＣＰＵ２０１への供給電圧を０．９Ｖに低下させる。また、省エネモードから通常モードには、低電圧回路への供給電圧を通常の電圧に戻す。このように、変更例にかかる電源制御システム１によれば、電源ユニット１０６以外の電源および電源線３１以外の電力線を要することなく２つの異なる電圧レベルの電源を供給することができる。
【００２９】
なお、省エネモードにおいて、電源供給を停止する回路および電源電圧を低下させる回路は任意であり、実施の形態に限定されるものではない。
【００３０】
（第２の実施の形態）
図４は、第２の実施の形態にかかる電源制御システム２の構成を示すブロック図である。電源制御システム２においては、コントローラ１１と操作ユニット２１は、ＵＳＢケーブル３０にかえてＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４ケーブル４０により接続されている。ＩＥＥＥ１３９４ケーブル４０は、電源線４１とデータ通信線４２とを有している。また、コントローラ１１は、ＩＥＥＥ１３９４ケーブル４０と接続するＩＥＥＥ１３９４デバイス１１０を有している。操作ユニット２１は、ＩＥＥＥ１３９４ケーブル４０と接続するＩＥＥＥ１３９４Ｉ／Ｆデバイス２１０を有している。操作ユニット２０の電圧検出部２１７は、電源線４１の電圧を検出する。電源制御部２１８は、電圧検出部２１７の検出結果に基づいて、操作ユニット２１全体の電源供給を制御する。なお、これ以外の電源制御システム２の構成および処理は、第１の実施の形態にかかる電源制御システム１の構成および処理と同様である。
【００３１】
このように、ＩＥＥＥ１３９４ケーブル４０によりコントローラ１１と操作ユニット２１を接続した場合であっても、１つの電源ユニット１０６および１つの電源線４１のみにより、通常モードから省エネモードへの移行に伴う電源シーケンスおよび省エネモードから通常モードへの移行に伴う電源シーケンスを生成することができる。すなわち、電源線４１のみを利用して、コントローラ１１から操作ユニット２１に電圧の異なる電源を供給することができる。
【００３２】
（第３の実施の形態）
図５は、第３の実施の形態にかかる電源制御システム３の構成を示す図である。電源制御システム３においては、メインシステム１２とサブシステム２２は、ＳＤカードインターフェース（Ｉ／Ｆ）コネクタ５０により接続される。ＳＤカードＩ／Ｆコネクタ５０には、電源線５１とデータ通信線５２が接続される。電圧検出部２２１は、ＳＤカードＩ／Ｆコネクタ５０に接続される電源線５１の電圧を検出する。電源制御部２２２は、電圧検出部２２１の検出結果に基づいて、サブシステム２２全体の電源供給を制御する。なお、これ以外の電源制御システム３の構成および処理は、他の実施の形態にかかる電源制御システムの構成および処理と同様である。
【００３３】
このように、ＳＤカードＩ／Ｆコネクタ５０により、メインシステム１２とサブシステム２２とを接続した場合であっても、１つの電源ユニット１０６および１つの電源線５１により、通常モードから省エネモードへの移行に伴う電源シーケンスおよび省エネモードから通常モードへの移行に伴う電源シーケンスを生成することができる。すなわち、電源線５１のみを利用して、メインシステム１２からサブシステム２２に電圧の異なる電源を供給することができる。
【符号の説明】
【００３４】
１  電源制御システム
１０  コントローラ
２０  操作ユニット
１０１  ＣＰＵ
１０２  ＨＤＤ
１０３  ＲＯＭ
１０４  ＲＡＭ
１０５  ＵＳＢホスト
１０６  電源ユニット
２０１  ＣＰＵ
２０２  ＲＯＭ
２０３  ＲＡＭ
２０４  ＵＳＢデバイス
２０５  電圧検出部
２０６  電源制御部
２１１  表示パネル
２１２  ＬＥＤ出力部
２１３  キー入力部
２１４  タッチパネル部
２１５  表示制御部
２１６  入出力制御部
【先行技術文献】
【特許文献】
【００３５】
【特許文献１】特開２００２−１６３０４４号公報
【図１】
2011034422.tif 000003
【図２】
2011034422.tif 000004
【図３】
2011034422.tif 000005
【図４】
2011034422.tif 000006
【図５】
2011034422.tif 000007